(57)【要約】  【課題】  送信機器がＥＤＩＤ記述外のデータを受信機器へ送信して来た時に、受信機器は送信機器に対して再度ＥＤＩＤの取得処理を実行させることができる画像表示システムを提供する。  【解決手段】  送信機器と接続するＨＤＭＩケーブルが接続されていると判定され、送信機器からＥＤＩＤ要求されていると判定された場合に、送信機器にＥＤＩＤを送信し、送信機器からのビデオデータおよびオーディオデータを受信した時に、ＥＤＩＤ記述外のデータを受信したと判定された場合には、ホットプラグをオフ、あるいはレシーバーセンスをオフさせる。前記ホットプラグがオフされた後、あるいは前記レシーバーセンスがオフされた後、ホットプラグをオンして、ケーブル接続判定処理に戻す。これにより、受信機器は、送信機器に対して再度ＥＤＩＤの取得処理を実行させる。【選択図】      図２
2007078980.tif 000002
【特許請求の範囲】
【請求項１】
ビデオデータおよびオーディオデータを送信可能な送信機器と、この送信機器とＨＤＭ
Ｉケーブルを介して接続され、前記送信機器からのビデオデータにより画像を表示すると
共に、前記送信機器からのオーディオデータにより音声を出力する機能を有する受信機器
とを含み構成された画像表示システムにおいて、接続の有無を検出するためのホットプラ
グのオン／オフにより前記送信機器と接続するＨＤＭＩケーブルが接続されているか否か
を判定するケーブル接続判定手段と、前記ケーブル接続されていると判定した場合に、前
記送信機器からＥＤＩＤ要求がされているか否かを判定するＥＤＩＤ要求判定手段と、前
記ＥＤＩＤ要求されていると判定した場合に、前記送信機器にＥＤＩＤを送信するＥＤＩ
Ｄ送信手段と、前記送信機器からのビデオデータおよびオーディオデータを受信した時に
、ＥＤＩＤ記述のデータを受信したか否かを判定するＥＤＩＤ記述判定手段と、前記ＥＤ
ＩＤ記述のデータを受信したと判定した場合に、ビデオデータおよびオーディオデータを
デコードして前記表示装置および前記音声出力装置にそれぞれ出力するデータ出力手段と
、前記ＥＤＩＤ記述外のデータを受信したと判定した場合には、前記ホットプラグをオフ
、あるいは当該受信機器の電源オン／オフ状態を示すレシーバーセンスをオフさせるホッ
トプラグ／レシーバーセンスオフ手段と、前記ホットプラグがオフされた後、あるいは前
記レシーバーセンスがオフされた後、前記ホットプラグをオンして、前記ケーブル接続判
定手段の処理に戻す処理戻し手段とを有するＨＤＭＩレシーバーを、前記受信機器に備え
たことを特徴とする画像表示システム。
【請求項２】
ビデオデータおよびオーディオデータを送信可能な送信機器と、この送信機器とＨＤＭ
Ｉケーブルを介して接続され、前記送信機器からのビデオデータにより画像を表示すると
共に、前記送信機器からのオーディオデータにより音声を出力する機能を有する受信機器
とを含み構成された画像表示システムにおいて、前記受信機器は、前記送信機器とＨＤＭ
Ｉケーブル接続された後、前記送信機器からＥＤＩＤ要求された時に、前記送信機器にＥ
ＤＩＤを送信し、その後、前記送信機器からのビデオデータおよびオーディオデータを受
信した時に、ＥＤＩＤ記述のデータを受信したか否かを判定し、前記ＥＤＩＤ記述のデー
タを受信したと判定した場合に、ビデオデータおよびオーディオデータをデコードして前
記表示装置および前記音声出力装置にそれぞれ出力し、前記ＥＤＩＤ記述外のデータを受
信したと判定した場合には、ＨＤＭＩケーブルとの接続状態や前記受信機器の電源オン／
オフ状態を落とすことで、再度、前記送信機器にＥＤＩＤを取得処理させて正しいＥＤＩ
Ｄを取得させるようにするＨＤＭＩレシーバーを備えたことを特徴とする画像表示システ
ム。
【請求項３】
前記ＨＤＭＩレシーバーは、接続の有無を検出するためのホットプラグのオン／オフに
より前記送信機器と接続するＨＤＭＩケーブルが接続されているか否かを判定するケーブ
ル接続判定手段と、前記ケーブル接続されていると判定した場合に、前記送信機器からＥ
ＤＩＤ要求がされているか否かを判定するＥＤＩＤ要求判定手段と、前記ＥＤＩＤ要求さ
れていると判定した場合に、前記送信機器にＥＤＩＤを送信するＥＤＩＤ送信手段と、前
記送信機器からのビデオデータおよびオーディオデータを受信した時に、ＥＤＩＤ記述の
データを受信したか否かを判定するＥＤＩＤ記述判定手段と、前記ＥＤＩＤ記述のデータ
を受信したと判定した場合に、ビデオデータおよびオーディオデータをデコードして前記
表示装置および前記音声出力装置にそれぞれ出力するデータ出力手段と、前記ＥＤＩＤ記
述外のデータを受信したと判定した場合には、前記ホットプラグをオフ、あるいは当該受
信機器の電源オン／オフ状態を示すレシーバーセンスをオフさせるホットプラグ／レシー
バーセンスオフ手段と、前記ホットプラグがオフされた後、あるいは前記レシーバーセン
スがオフされた後、前記ホットプラグをオンして、前記ケーブル接続判定手段の処理に戻
す処理戻し手段とを有することを特徴とする請求項２に記載の画像表示システム。
【発明の詳細な説明】
【技術分野】
【０００１】
本発明は、ビデオデータおよびオーディオデータを送信可能な送信機器と、この送信機
器とＨＤＭＩケーブルを介して接続され、前記送信機器からのビデオデータにより画像を
表示すると共に、前記送信機器からのオーディオデータにより音声を出力する機能を有す
る受信機器とを含み構成された画像表示システムに関する。
【背景技術】
【０００２】
近年、ＤＶＤプレーヤなどに用いるテレビ受信機の表示画面の超高精細化は、液晶パネ
ル製造技術の進歩によって著しく発展して、非常に膨大な情報量のビデオデータを高精細
に表示することが可能になった。このようなテレビ受信機では、非常に多くのビデオデー
タおよびオーディオデータをＤＶＤプレーヤなどから送信させるため、ＨＤＭＩ（High D
efinition Multimedia Interface）と言うインターフェイスが用いられている。
【０００３】
ＨＤＭＩは、ＤＶＤプレーヤなどの送信機器からテレビ受信機やプロジェクタなどの受
信機器へビデオデータおよびオーディオデータを伝送するためのインターフェイスである
。ＨＤＭＩは、従来の規格であるＤＶＩ（Digital Visual Interface for Computer）Ver
1.0を拡張したものである。具体的には、ＤＶＩはビデオデータのみを送信する規格のイ
ンターフェイスであるのに対し、ＨＤＭＩは、ビデオデータの他、オーディオデータおよ
びその他のデータもひとつのケーブルで送信できる規格のインターフェイスである。更に
、ＨＤＭＩは、高品質のマルチチャンネルのオーディオデータと高解像度の各種フォーマ
ットのビデオデータの伝送が可能である。
【０００４】
ＨＤＭＩは、ＤＤＣ（Display Data Channel）通信により、各種の情報（モニタの情報
、例えば、ＥＤＩＤデータ構造など）を伝送するのに用いられることも可能である。ＥＤ
ＩＤ（Extended Display Identification Data）とは、受信機器の受信可能な解像度、オ
ーディオストリーム情報、レシーバーの持つスピーカ情報などがある。また、ＨＤＭＩは
、ひとつのケーブルでビデオデータおよびオーディオデータを伝送することができ、複数
ケーブル接続の煩わしさがなくなるという利点を有している。例えば、ＤＶＤプレーヤか
らＣＳＳ（Content Scrambling System）におけるコンテンツを出力する場合において、
ＨＤＭＩは、ＣＰＡＣ（Copy Protection Advisory Council）により承認されている規格
のインターフェイスである。
【０００５】
前記ＤＤＣとは、通信形式の名称であり、ビデオデータの表示条件やオーディオデータ
の条件のデータ以外に、ＨＤＭＩモニタに関する他のデータを併せてＤＶＤプレーヤに送
信するのに用いられる回線である。ＤＤＣは、ＤＶＤプレーヤ内の通信線と接続されてお
り、ＤＶＤプレーヤとＨＤＭＩモニタとの間の回線を確立させるために用いられる。前記
ＣＳＳは、データを暗号化して記録し、再生時に復号化するシステムである。
【０００６】
さて、このようなＨＤＭＩを用いて、送信機器としてのＤＶＤプレーヤと受信機器とし
てのＨＤＭＩモニタとが接続された構成を有する画像表示システムが知られている（例え
ば特許文献１）。この従来技術では、ＤＶＤ再生装置（ＤＶＤプレーヤ）は、ＨＤＭＩモ
ニタからＨＤＭＩモニタの表示条件を示す条件情報を予め取得し、その取得した条件情報
に基づいて画像情報（ビデオデータ）を変換し、表示装置における画像情報の設定を行っ
て、変換済み画像情報をＨＤＭＩモニタに出力するようになっている。
【特許文献１】特開２００５−１０９７０３号公報
【特許文献２】特開２００５−８４８８１号公報
【特許文献３】特開２０００−１９４３４６号公報
【発明の開示】
【発明が解決しようとする課題】
【０００７】
しかしながら、特許文献１の従来技術では、ＤＶＤ再生装置は、取得した条件情報に基
づいて画像情報を変換し、表示装置における画像情報の設定を行って、変換済み画像情報
をＨＤＭＩモニタに出力するようにしているが、ＤＶＤ再生装置は、ＨＤＭＩモニタから
受信したＥＤＩＤ情報が異なる場合に、ＨＤＭＩモニタはＤＶＤ再生装置にＥＤＩＤ情報
を正しく取得させるように処理を行っていないので、ＤＶＤ再生装置からの画像情報をＨ
ＤＭＩモニタに表示させることができなくなると言う課題が生じる。
【０００８】
即ち、従来技術では、ビデオデータおよびオーディオデータを出力する送信機器は、受
信機器から受信したＥＤＩＤ情報が異なる場合に、受信機器は、送信機器に対してＥＤＩ
Ｄ情報を送信機器からの要求に対して送信を行うが、正しく取得されたかどうかは確認す
ることができなく、正しく取得されていない場合には、送信機器からの画像情報を受信機
器で表示させることができなくなると言う課題が生じる。
【０００９】
特許文献２の従来技術では、画像処理装置がパラメータ情報を入力し、入力したパラメ
ータ情報に基づいて画像処理を行うと共に、画像表示装置に対してパラメータ情報の変更
を要求するものであるが、画像処理装置が受信したＥＤＩＤ情報が異なる場合には、画像
表示装置は、ＥＤＩＤ情報が異なることを確認できないので、上記のような課題を解決で
きない。
【００１０】
特許文献３の従来技術は、ユーザコントロールなどにより表示状態が変化すれば、ＥＤ
ＩＤ情報を書き換え、このＥＤＩＤ情報をパーソナルコンピュータに送信するものである
が、パーソナルコンピュータは、ディスプレイ装置から受信したＥＤＩＤ情報が異なる場
合に、ディスプレイ装置は、パーソナルコンピュータが正しく取得されたかどうかは確認
することができなく、正しく取得されていない場合には、パーソナルコンピュータからの
画像情報をディスプレイ装置で表示させることができなくなると言う課題が生じる。
【００１１】
本発明は、上記のような課題を解決するためになされたもので、送信機器がＥＤＩＤ記
述外のデータを受信機器へ送信して来た時に、受信機器は送信機器に対して再度ＥＤＩＤ
の取得処理を実行させることができる画像表示システムを提供することを目的とする。
【課題を解決するための手段】
【００１２】
上記目的を達成するために、請求項１の発明は、ビデオデータおよびオーディオデータ
を送信可能な送信機器と、この送信機器とＨＤＭＩケーブルを介して接続され、前記送信
機器からのビデオデータにより画像を表示すると共に、前記送信機器からのオーディオデ
ータにより音声を出力する機能を有する受信機器とを含み構成された画像表示システムに
おいて、接続の有無を検出するためのホットプラグのオン／オフにより前記送信機器と接
続するＨＤＭＩケーブルが接続されているか否かを判定するケーブル接続判定手段と、前
記ケーブル接続されていると判定した場合に、前記送信機器からＥＤＩＤ要求がされてい
るか否かを判定するＥＤＩＤ要求判定手段と、前記ＥＤＩＤ要求されていると判定した場
合に、前記送信機器にＥＤＩＤを送信するＥＤＩＤ送信手段と、前記送信機器からのビデ
オデータおよびオーディオデータを受信した時に、ＥＤＩＤ記述のデータを受信したか否
かを判定するＥＤＩＤ記述判定手段と、前記ＥＤＩＤ記述のデータを受信したと判定した
場合に、ビデオデータおよびオーディオデータをデコードして前記表示装置および前記音
声出力装置にそれぞれ出力するデータ出力手段と、前記ＥＤＩＤ記述外のデータを受信し
たと判定した場合には、前記ホットプラグをオフ、あるいは当該受信機器の電源オン／オ
フ状態を示すレシーバーセンスをオフさせるホットプラグ／レシーバーセンスオフ手段と
、前記ホットプラグがオフされた後、あるいは前記レシーバーセンスがオフされた後、前
記ホットプラグをオンして、前記ケーブル接続判定手段の処理に戻す処理戻し手段とを有
するＨＤＭＩレシーバーを、前記受信機器に備えたことを特徴とする画像表示システムを
提供する。
【００１３】
この構成において、ホットプラグのオン／オフにより送信機器と接続するＨＤＭＩケー
ブルが接続されているか否かをケーブル接続判定手段により判定し、前記ケーブル接続さ
れていると判定した場合に、送信機器からＥＤＩＤ要求がされているか否かをＥＤＩＤ要
求判定手段により判定する。前記ＥＤＩＤ要求されていると判定した場合に、送信機器に
ＥＤＩＤをＥＤＩＤ送信手段により送信し、送信機器からのビデオデータおよびオーディ
オデータを受信した時に、ＥＤＩＤ記述のデータを受信したか否かをＥＤＩＤ記述判定手
段により判定する。前記ＥＤＩＤ記述のデータを受信したと判定した場合に、ビデオデー
タおよびオーディオデータをデータ出力手段によりデコードして表示装置および音声出力
装置にそれぞれ出力する。
【００１４】
前記ＥＤＩＤ記述のデータを受信しなかったと判定した場合、換言すれば、前記ＥＤＩ
Ｄ記述外のデータを受信したと判定した場合には、ホットプラグをオフ、あるいはレシー
バーセンスをホットプラグ／レシーバーセンスオフ手段によりオフさせる。前記ホットプ
ラグがオフされた後、あるいは前記レシーバーセンスがオフされた後、処理戻し手段によ
り、ホットプラグをオンして、ケーブル接続判定手段の処理に戻す。
【００１５】
この構成によれば、送信機器がＥＤＩＤ記述外のデータを受信機器へ送信して来た時に
、受信機器は、ホットプラグまたはレシーバーセンスをオフさせることにより、送信機器
に対して再度ＥＤＩＤの取得処理を実行させることができる。したがって、ＥＤＩＤに記
述してあるはずの対応解像度以外のＥＤＩＤが送信機器から受信機器へ送信されてきた時
に、誤って取得された可能性があるＥＤＩＤを取得し直せることができ、これにより、送
信機器からの画像情報を受信機器で表示させることができなくなると言うことがなくなり
、システムの信頼性が向上する。
【００１６】
請求項２の発明は、ビデオデータおよびオーディオデータを送信可能な送信機器と、こ
の送信機器とＨＤＭＩケーブルを介して接続され、前記送信機器からのビデオデータによ
り画像を表示すると共に、前記送信機器からのオーディオデータにより音声を出力する機
能を有する受信機器とを含み構成された画像表示システムにおいて、前記受信機器は、前
記送信機器とＨＤＭＩケーブル接続された後、前記送信機器からＥＤＩＤ要求された時に
、前記送信機器にＥＤＩＤを送信し、その後、前記送信機器からのビデオデータおよびオ
ーディオデータを受信した時に、ＥＤＩＤ記述のデータを受信したか否かを判定し、前記
ＥＤＩＤ記述のデータを受信したと判定した場合に、ビデオデータおよびオーディオデー
タをデコードして前記表示装置および前記音声出力装置にそれぞれ出力し、前記ＥＤＩＤ
記述外のデータを受信したと判定した場合には、ＨＤＭＩケーブルとの接続状態や前記受
信機器の電源オン／オフ状態を落とすことで、再度、前記送信機器にＥＤＩＤを取得処理
させて正しいＥＤＩＤを取得させるようにするＨＤＭＩレシーバーを備えたことを特徴と
する画像表示システムを提供する。
【００１７】
この構成において、受信機器は、送信機器とＨＤＭＩケーブル接続された後、送信機器
からＥＤＩＤ要求された時に、送信機器にＥＤＩＤを送信する。その後、受信機器は、送
信機器からのビデオデータおよびオーディオデータを受信した時に、ＥＤＩＤ記述のデー
タを受信したと判定した場合に、ビデオデータおよびオーディオデータをデコードして表
示装置および音声出力装置にそれぞれ出力する。前記ＥＤＩＤ記述外のデータを受信した
と判定した場合には、ＨＤＭＩケーブルとの接続状態や受信機器の電源オン／オフ状態を
落とすことで、再度、送信機器にＥＤＩＤを取得処理させて正しいＥＤＩＤを取得させる
ようにする。
【００１８】
この構成によれば、送信機器がＥＤＩＤ記述外のデータを受信機器へ送信して来た時に
、受信機器は、送信機器に対して再度ＥＤＩＤの取得処理を実行させることができる。し
たがって、ＥＤＩＤに記述してあるはずの対応解像度以外のＥＤＩＤが送信機器から受信
機器へ送信されてきた時に、誤って取得された可能性があるＥＤＩＤを取得し直せること
ができ、これにより、送信機器からの画像情報を受信機器で表示させることができなくな
ると言うことがなくなり、システムの信頼性が向上する。
【００１９】
請求項３の発明では、請求項２の発明において、前記ＨＤＭＩレシーバーは、接続の有
無を検出するためのホットプラグのオン／オフにより送信機器と接続するＨＤＭＩケーブ
ルが接続されているか否かを判定するケーブル接続判定手段と、前記ケーブル接続されて
いると判定した場合に、送信機器からＥＤＩＤ要求がされているか否かを判定するＥＤＩ
Ｄ要求判定手段と、前記ＥＤＩＤ要求されていると判定した場合に、送信機器にＥＤＩＤ
を送信するＥＤＩＤ送信手段と、送信機器からのビデオデータおよびオーディオデータを
受信した時に、ＥＤＩＤ記述のデータを受信したか否かを判定するＥＤＩＤ記述判定手段
と、前記ＥＤＩＤ記述のデータを受信したと判定した場合に、ビデオデータおよびオーデ
ィオデータをデコードして表示装置および音声出力装置にそれぞれ出力するデータ出力手
段と、前記ＥＤＩＤ記述外のデータを受信したと判定した場合には、前記ホットプラグを
オフ、あるいは受信機器の電源オン／オフ状態を示すレシーバーセンスをオフさせるホッ
トプラグ／レシーバーセンスオフ手段と、前記ホットプラグがオフされた後、あるいは前
記レシーバーセンスがオフされた後、前記ホットプラグをオンして、前記ケーブル接続判
定手段の処理に戻す処理戻し手段とを有する。
【００２０】
したがって、前記ＨＤＭＩレシーバーは、ケーブル接続判定処理、ＥＤＩＤ要求判定処
理、ＥＤＩＤ送信処理、ＥＤＩＤ記述判定処理、データ出力処理、ホットプラグ／レシー
バーセンスオフ処理、および処理戻し処理を実現でき、これにより、送信機器がＥＤＩＤ
記述外のデータを受信機器へ送信して来た時に、受信機器は、送信機器に対して再度ＥＤ
ＩＤの取得処理を実行させることが可能になる。
【発明の効果】
【００２１】
以上のように本発明によれば、ビデオデータおよびオーディオデータを送信可能な送信
機器と、この送信機器とＨＤＭＩケーブルを介して接続され、前記送信機器からのビデオ
データにより画像を表示すると共に、前記送信機器からのオーディオデータにより音声を
出力する機能を有する受信機器とを含み構成された画像表示システムにおいて、接続の有
無を検出するためのホットプラグのオン／オフにより前記送信機器と接続するＨＤＭＩケ
ーブルが接続されているか否かを判定するケーブル接続判定手段と、前記ケーブル接続さ
れていると判定した場合に、前記送信機器からＥＤＩＤ要求がされているか否かを判定す
るＥＤＩＤ要求判定手段と、前記ＥＤＩＤ要求されていると判定した場合に、前記送信機
器にＥＤＩＤを送信するＥＤＩＤ送信手段と、前記送信機器からのビデオデータおよびオ
ーディオデータを受信した時に、ＥＤＩＤ記述のデータを受信したか否かを判定するＥＤ
ＩＤ記述判定手段と、前記ＥＤＩＤ記述のデータを受信したと判定した場合に、ビデオデ
ータおよびオーディオデータをデコードして前記表示装置および前記音声出力装置にそれ
ぞれ出力するデータ出力手段と、前記ＥＤＩＤ記述外のデータを受信したと判定した場合
には、前記ホットプラグをオフ、あるいは当該受信機器の電源オン／オフ状態を示すレシ
ーバーセンスをオフさせるホットプラグ／レシーバーセンスオフ手段と、前記ホットプラ
グがオフされた後、あるいは前記レシーバーセンスがオフされた後、前記ホットプラグを
オンして、前記ケーブル接続判定手段の処理に戻す処理戻し手段とを有するＨＤＭＩレシ
ーバーを、前記受信機器に備えたので、送信機器がＥＤＩＤ記述外のデータを受信機器へ
送信して来た時に、受信機器は、ホットプラグまたはレシーバーセンスをオフさせること
により、送信機器に対して再度ＥＤＩＤの取得処理を実行させることができる。したがっ
て、ＥＤＩＤに記述してあるはずの対応解像度以外のＥＤＩＤが送信機器から受信機器へ
送信されてきた時に、誤って取得された可能性があるＥＤＩＤを取得し直せることができ
、これにより、送信機器からの画像情報を受信機器で表示させることができなくなると言
うことがなくなり、システムの信頼性が向上する。
【００２２】
また、本発明によれば、ビデオデータおよびオーディオデータを送信可能な送信機器と
、この送信機器とＨＤＭＩケーブルを介して接続され、前記送信機器からのビデオデータ
により画像を表示すると共に、前記送信機器からのオーディオデータにより音声を出力す
る機能を有する受信機器とを含み構成された画像表示システムにおいて、前記受信機器は
、前記送信機器とＨＤＭＩケーブル接続された後、前記送信機器からＥＤＩＤ要求された
時に、前記送信機器にＥＤＩＤを送信し、その後、前記送信機器からのビデオデータおよ
びオーディオデータを受信した時に、ＥＤＩＤ記述のデータを受信したか否かを判定し、
前記ＥＤＩＤ記述のデータを受信したと判定した場合に、ビデオデータおよびオーディオ
データをデコードして前記表示装置および前記音声出力装置にそれぞれ出力し、前記ＥＤ
ＩＤ記述外のデータを受信したと判定した場合には、ＨＤＭＩケーブルとの接続状態や前
記受信機器の電源オン／オフ状態を落とすことで、再度、前記送信機器にＥＤＩＤを取得
処理させて正しいＥＤＩＤを取得させるようにするＨＤＭＩレシーバーを備えたので、送
信機器がＥＤＩＤ記述外のデータを受信機器へ送信して来た時に、受信機器は、送信機器
に対して再度ＥＤＩＤの取得処理を実行させることができる。したがって、ＥＤＩＤに記
述してあるはずの対応解像度以外のＥＤＩＤが送信機器から受信機器へ送信されてきた時
に、誤って取得された可能性があるＥＤＩＤを取得し直せることができ、これにより、送
信機器からの画像情報を受信機器で表示させることができなくなると言うことがなくなり
、システムの信頼性が向上する。
【発明を実施するための最良の形態】
【００２３】
以下、添付図面を参照しつつ、本発明の実施の形態について説明する。図１は本発明の
一実施形態に係る画像表示システムの構成を示すブロック図である。
【００２４】
図１において、この画像表示システムＡは、ＨＤＭＩ端子付きＤＶＤプレーヤなどのよ
うにビデオデータおよびオーディオデータを送信可能な送信機器１と、この送信機器１と
ＨＤＭＩケーブル２を介して接続され、送信機器１からのビデオデータにより画像を表示
すると共に、送信機器１からのオーディオデータにより音声を出力する機能を有するテレ
ビ受信機やプロジェクタなどのような受信機器３とから構成される。
【００２５】
送信機器１は、ＨＤＭＩ規格のビデオデータおよびオーディオデータを送信するＨＤＭ
Ｉトランスミッター１ａを備えている。ＨＤＭＩケーブル２は、ＴＭＤＳ（Transition M
inimized Differential Signaling）方式でＨＤＭＩトランスミッター１ａからのビデオ
データおよびオーディオデータを受信機器３に送信するためのＴＭＤＳのラインＬ２と、
送信機器１が受信機器３との接続の有無を検出するためのＨＰＤ（Hot Plug Detector）
のラインＬ１と、送信機器１が受信機器３からの表示条件の情報を含む条件情報を取得す
るためのＤＤＣ（Display Data Channel）のラインＬ３とを備えている。受信機器３は、
ＨＤＭＩレシーバー３ａと表示装置３ｂと音声出力装置３ｃとを備えている。
【００２６】
ＨＤＭＩレシーバー３ａは、接続の有無を検出するためのホットプラグのオン／オフに
より送信機器１と接続するＨＤＭＩケーブル２が接続されているか否かを判定するケーブ
ル接続判定手段と、前記ケーブル接続されていると判定した場合に、送信機器１からＥＤ
ＩＤ要求がされているか否かを判定するＥＤＩＤ要求判定手段と、前記ＥＤＩＤ要求され
ていると判定した場合に、送信機器１にＥＤＩＤを送信するＥＤＩＤ送信手段と、送信機
器１からのビデオデータおよびオーディオデータを受信した時に、ＥＤＩＤ記述のデータ
を受信したか否かを判定するＥＤＩＤ記述判定手段と、前記ＥＤＩＤ記述のデータを受信
したと判定した場合に、ビデオデータおよびオーディオデータをデコードして表示装置３
ｂおよび音声出力装置３ｃにそれぞれ出力するデータ出力手段と、前記ＥＤＩＤ記述外の
データを受信したと判定した場合には、前記ホットプラグをオフ、あるいは当該受信機器
３の電源オン／オフ状態を示すレシーバーセンスをオフさせるホットプラグ／レシーバー
センスオフ手段と、前記ホットプラグがオフされた後、あるいは前記レシーバーセンスが
オフされた後、前記ホットプラグをオンして、前記ケーブル接続判定手段の処理に戻す処
理戻し手段とを有する。
【００２７】
次に、本実施形態において受信機器３のＨＤＭＩレシーバー３ａの特徴とするＥＤＩＤ
の取得処理について図２のフローチャートおよび図１を参照して説明する。
【００２８】
送信機器１から送信されてくるビデオデータおよびオーディオデータにより受信機器３
で画像の表示および音声の出力を行いたい場合に、受信機器３のＨＤＭＩレシーバー３ａ
は以下のような処理を行う。
【００２９】
先ず、ＨＰＤのラインＬ１のホットプラグのオン／オフにより、送信機器１と接続する
ＨＤＭＩケーブル２が接続されているか否かをケーブル接続判定手段により判定する（ス
テップＳ１）。そして、前記ケーブル接続されていると判定した場合に、送信機器１から
ＥＤＩＤ要求がされているか否かをＥＤＩＤ要求判定手段により判定する（ステップＳ２
）。
【００３０】
前記ＥＤＩＤ要求されていると判定した場合に、送信機器１にＥＤＩＤをＥＤＩＤ送信
手段により送信する（ステップＳ３）。これにより、送信機器１のＨＤＭＩトランスミッ
ター１ａは、ＥＤＩＤを参考にして解像度の決定や、オーディオストリームの決定を行っ
て、ビデオデータおよびオーディオデータを送信する。送信機器１からのビデオデータお
よびオーディオデータを受信した時に（ステップＳ４）、ＥＤＩＤ記述のデータを受信し
たか否かをＥＤＩＤ記述判定手段により判定する（ステップＳ５）。前記ＥＤＩＤ記述の
データを受信したと判定した場合に、ビデオデータおよびオーディオデータをデータ出力
手段によりデコードして表示装置３ｂおよび音声出力装置３ｃにそれぞれ出力する（ステ
ップＳ７）。
【００３１】
前記ＥＤＩＤ記述のデータを受信しなかったと判定した場合（ステップＳ５）、換言す
れば、前記ＥＤＩＤ記述外のデータを受信したと判定した場合には、前記ホットプラグを
オフ、あるいは当該受信機器３の電源オン／オフ状態を示すレシーバーセンスをホットプ
ラグ／レシーバーセンスオフ手段によりオフさせる（ステップＳ６）。前記ホットプラグ
がオフされた後、あるいは前記レシーバーセンスがオフされた後、処理戻し手段により、
前記ホットプラグをオンして、ケーブル接続判定手段の処理（ステップＳ１）に戻す。
【００３２】
なお、ＥＤＩＤ記述外のデータとは、ビデオデータであれば、フィールド周波数が表示
装置３ｂに対応していない場合、解像度が表示装置３ｂに対応していない場合、コンポジ
ット映像信号が表示装置３ｂに対応していない場合、コンポーネント映像信号が表示装置
３ｂに対応していない場合、Ｓ映像信号が表示装置３ｂに対応していない場合などのビデ
オデータであり、オーディオデータであれば、ＬＰＣＭが音声出力装置３ｃに対応してい
ない場合、ドルビーデジタルが音声出力装置３ｃに対応していない場合、ＤＴＳが音声出
力装置３ｃに対応していない場合などのオーディオデータである。
【００３３】
図３は本実施形態の画像表示システムにおけるＨＤＭＩ機器の接続例を示す模式図であ
る。図３において、１０は送信機器としてのＤＶＤプレーヤを示し、３０は受信機器とし
てのテレビ受信機を示す。ＨＤＭＩ端子付きのＤＶＤプレーヤ１０とテレビ受信機３０と
は、ＨＤＭＩケーブル２０によって接続されている。この例では、送信機器としてはＤＶ
Ｄプレーヤを示したが、これに限らず、ＨＤＭＩ端子付きのＤＶＤレコーダやビデオカセ
ットレコーダなどのようにビデオデータおよびオーディオデータを出力する機器であれば
良い。また、受信機器としては、テレビ受信機に限らず、プロジェクタなどであっても良
い。
【００３４】
以上説明したように本実施形態によれば、送信機器がＥＤＩＤ記述外のデータを受信機
器へ送信して来た時に、受信機器は、ホットプラグまたはレシーバーセンスをオフさせる
ことにより、送信機器に対して再度ＥＤＩＤの取得処理を実行させることができる。した
がって、ＥＤＩＤに記述してあるはずの対応解像度以外のＥＤＩＤが送信機器から受信機
器へ送信されてきた時に、誤って取得された可能性があるＥＤＩＤを取得し直せることが
でき、これにより、送信機器からの画像情報を受信機器で表示させることができなくなる
と言うことがなくなり、システムの信頼性が向上する。
【図面の簡単な説明】
【００３５】
【図１】本発明の一実施形態に係る画像表示システムの構成を示すブロック図である。
【図２】前記実施形態において受信機器のＨＤＭＩレシーバーの特徴とするＥＤＩＤの取得処理を説明するためのフローチャートである。
【図３】前記実施形態の画像表示システムにおけるＨＤＭＩ機器の接続例を示す模式図である。
【符号の説明】
【００３６】
１    送信機器
２    ＨＤＭＩケーブル
３    受信機器
３ａ    ＨＤＭＩレシーバー（ケーブル接続判定手段、ＥＤＩＤ要求判定手段、ＥＤＩ
Ｄ送信手段、ＥＤＩＤ記述判定手段、データ出力手段、ホットプラグ／レシーバーセンス
オフ手段、処理戻し手段）
３ｂ    表示装置
３ｃ    音声出力装置
【図１】
2007078980.tif 000003
【図２】
2007078980.tif 000004
【図３】
2007078980.tif 000005